Podtech/llm-jp-corpus-v4-ja_patent huggingface dataset:
(57)【要約】【課題】簡単に平紙体を非金属製壁面に固定することができ、しかも平紙体を除去した後は壁面に殆ど汚れを残さない固定用具を提供する。【解決手段】基板と挟持板と覆板とからなり、基板の対象壁面対向面が接着性を有しており、覆板は該対向面に添着しており、基板と挟持板の一方が磁石から形成され他方が磁性体から形成されている。【選択図】図１
2006204597.tif 000002
【特許請求の範囲】
【請求項１】
基板（１）と挟持板（３）と覆板（５）とからなり、基板の対象壁面対向面（１１）が接着性を有しており、覆板は該対向面に添着されており、基板と挟持板の一方が磁石から形成され他方が磁性体から形成されていることを特徴とする平紙体の壁面固定用具。
【発明の詳細な説明】
【技術分野】
【０００１】
この発明は写真、回覧表、予定表、電話番号表、メモなど（以下「平紙体」と呼ぶ）を非金属製壁面に固定する用具に関するものである。
【背景技術】
【０００２】
上記のような平紙体を合成樹脂や木製の非金属製壁面に固定するには、一般にセロテープ、接着剤、止めピンなどが使われている。
【発明の開示】
【発明が解決しようとする課題】
【０００３】
ところがセロテープや糊を用いた場合には、剥離あるは劣化したりし易く長期間に亙る固定の安定性を欠く。またある程度の時間が過ぎると変色して壁面の美観を損ねる。さらにアパートなどの場合は、止めピンを用いると壁面に孔が残り望ましくない。いずれにしても平紙体を壁面から除去した場合に壁面に残った固定跡が汚れとなり好ましくない。
【０００４】
磁石を利用した平紙体の壁面固定用具は従来からも一般に使われている。しかしこれらは対象壁面が金属製の場合、例えば冷蔵庫の外面などに使用が限定され、多くは非金属製のアパートなどの壁面には使用できないものである。
【０００５】
かかる従来技術の現状に鑑みてこの発明の目的は、簡単に平紙体を非金属製壁面に固定することができ、しかも平紙体を除去した後は壁面に殆ど汚れを残さない固定用具を提供することにある。
【課題を解決するための手段】
【０００６】
このためこの発明の固定用具は基板と挟持板と覆板とからなり、基板の対象壁面対向面が接着性を有しており、覆板は該対向面に添着しており、基板と挟持板の一方が磁石から形成され他方が磁性体から形成されていることを要旨とするものである。
【発明の効果】
【０００７】
平紙体を固定するに際して壁面を傷つけることがない。しかも基板を対象壁面に合わせた色調とした場合には、平紙体を除去した後も基板をそのまま壁面に残してもよいから、固定跡が壁面の美観を損ねることがない。さらに構造的にも材料的にも非常に簡単であるので、製造コストひいては販売価格を低減でき、家庭用および事業所用に多用することができる。
【０００８】
なお平紙体は一般に極く軽量のものであるから、基板の対象壁面に対する接着度はあまり高いものは要求されない。したがって基板に付与する接着性は低いものでよい。つまり基板に使用する接着剤は接着力が比較的低く易剥離性のものでもよい。この場合固定用具の壁面からの除去は容易であり、壁面にも殆ど固定跡を残さない。
【０００９】
勿論壁面と固定用具の色調が近い場合には、平紙体を壁面から除去した後でも、固定用具を壁面に残して置くことができることもある。基板も挟持板もいたって薄い構造なので壁面上に残しておいても邪魔になるようなことはない。
【実施例１】
【００１０】
図１に示すのはこの発明の固定用具の一実施例である。該固定用具は図１に示すように基板１と挟持板３と覆板５とから構成されるものである。基板１はその壁面対向面１１が接着性を有している。
【００１１】
これら構成部品の材料は、基板と挟持板の一方が磁石からなり他方が金属などの磁性体から形成でさえあれば、他は特に限定されるものではない。またこれら構成部品の形状は特に限定されるものではないが、なるべく薄いものとして軽量化するのが望ましい。
【００１２】
軽量化されれば基板１の対向面１１に要求される接着性もあまり強くないものでよいから、易剥離性となって固定用具の壁面からの除去は容易であり、壁面にもあまり固定跡を残さない。
【００１３】
図２にこの発明の固定用具の使用例を示す。まず基板１から覆板５を剥がして、対象壁面９に対向面１１を介して基板１を添着する。ついでその反対面上に平紙体７を沿わせて、その上に挟持板３を配置すると、磁気吸引力により基板１と挟持板３とが吸引し合って間に平紙体７を挟持して壁面に固定する。
【００１４】
平紙体７を除去するには挟持板３を手で除いてやればよい。壁面９に残った基板１はそのままにしておいて次の平紙体固定に使用してもよく、剥離して除いてもよい。
【産業上の利用可能性】
【００１５】
この発明の固定用具は一般家庭および事業所などの所謂インテリアの分野において多用され得るものである。
【図面の簡単な説明】
【００１６】
【図１】この発明の固定用具の一例を分解状態で示す側面図である。
【図２】この発明の固定用具の実用状態を示す斜視図である。
【符号の説明】
【００１７】
１：  基板
３：  挟持板
５：  覆板
７：  平紙体
９：  壁面
【図１】
2006204597.tif 000003
【図２】
2006204597.tif 000004
(57)【要約】【課題】            プレフィルタを設けてダストライフを大きくすると同時に、プレフィルタを設けることの弊害であるプレフィルタからメインフィルタヘの脈動によるダスト透過を抑えること、具体的にはプレフィルタ自体の脈動によるダスト透過率を１０％以内に抑えることのできるフィルタエレメントの提供をする。【解決手段】エンジンの吸気通路に設けられるフィルタエレメントを濾過材を襞折り状に形成したメインフィルタと、このメインフィルタの上流側に配設した平板状のプレフィルタとで構成する。プレフィルタとして連続気泡を有する発泡ウレタンを用いるとともに、そのセル数ｎが３５／２５ｍｍ≦ｎ≦５０／２５ｍｍの間にあり、肉厚ｔが１０ｍｍ≦ｔ≦４０ｍｍを満足し、密度ｄが２３Ｋｇ／ｍ３≦ｄ≦３６Ｋｇ／ｍ３を満足するように設定する。【選択図】          図１
2006204966.tif 000002
【特許請求の範囲】
【請求項１】
エンジンの吸気通路に設けられるフィルタエレメントであって、濾過材を襞折り状に形成したメインフィルタと、このメインフィルタの上流側に配設した平板状のプレフィルタとで構成し、上記プレフィルタとして連続気泡を有する発泡ウレタンを用いるとともに、そのセル数ｎが３５／２５ｍｍ≦ｎ≦５０／２５ｍｍの間にあり、肉厚ｔが１０ｍｍ≦ｔ≦４０ｍｍを満足し、密度ｄが２３Ｋｇ／ｍ３≦ｄ≦３６Ｋｇ／ｍ３を満足するように設定したことを特徴とするフィルタエレメント。
【発明の詳細な説明】
【技術分野】
【０００１】
本発明は、自動車のエンジンなどの吸気通路に設けられるエアフィルタとして有用なフィルタエレメントに関する。
【背景技術】
【０００２】
従来、前記フィルタエレメントの一例としては、所定の孔径を有する含油襞折り濾紙をメインフィルタとし、このメインフィルタの上流側に所定のセル数の連続気泡を有するウレタンスポンジからなるプレフィルタを配設したものが知られている(特許文献１参照)。  この特許文献１は、フィルタエレメント全体としてのダスト保持量(ダストライフ)を大ならしめ寿命延長を図るために、メインフィルタとプレフィルタの最適な組み合わせを実現しようとするものである。
【特許文献１】実開昭６１−４７４８３号公報
【発明の開示】
【発明が解決しようとする課題】
【０００３】
しかし、プレフィルタを用いてエアフィルタ全体の長寿命化を図ろうとしても、空気流の脈動が大きい場合には、一旦プレフィルタで捕捉したダストやカーボンが脈動により透過してメインフィルタに移動してしまい、それによりメインフィルタの圧力損失が大きくなり、吸気抵抗をできるだけ低く抑えるというエアフィルタの性能を実現できないことがある。一方、吸気抵抗を小さくしようとする場合には、ダストライフの向上をなし得ないという矛盾が生じる。
【０００４】
本発明は、上記の点に鑑み、プレフィルタを設けてダストライフを大きくすると同時に、プレフィルタを設けることの弊害であるプレフィルタからメインフィルタヘの脈動によるダスト透過を抑えること、具体的にはプレフィルタ自体の脈動によるダスト透過率を１０％以内に抑えることのできるフィルタエレメントの提供を目的とする。
【課題を解決するための手段】
【０００５】
本発明は、エンジンの吸気通路に設けられるフィルタエレメントであって、濾過材を襞折り状に形成したメインフィルタと、このメインフィルタの上流側に配設した平板状のプレフィルタとで構成し、上記プレフィルタとして連続気泡を有する発泡ウレタンを用いるとともに、そのセル数ｎが３５／２５ｍｍ≦ｎ≦５０／２５ｍｍの間にあり、肉厚ｔが１０ｍｍ≦ｔ≦４０ｍｍを満足し、密度ｄが２３Ｋｇ／ｍ３≦ｄ≦３６Ｋｇ／ｍ３を満足するように設定したもので、これによりダストライフの向上とともに、プレフィルタの脈動によるダスト透過率を１０％以内にできることを見出したものである。
【０００６】
本発明においては、プレフィルタの前記セル数ｎ，肉厚ｔ，密度ｄのいずれか一つについて定められた範囲を外れて調製されると、一定水準のダストライフを達成できないか、若しくは得られたプレフィルタの脈動によるダスト透過率が本発明で目的とする範囲から逸脱してしまうものである。
【発明の効果】
【０００７】
本発明によれば、ダストライフを大きく維持しつつ、プレフィルタ自体の脈動によるダスト透過率を１０％以内に抑えることのできるので、プレフィルタで捕捉したダストを脈動流によりメインフィルタヘ移動することを極力抑制できる。このため、エアフィルタ全体として、通気抵抗を低く維持しつつダストライフの高いものを得ることができる。
【発明を実施するための最良の形態】
【０００８】
以下、添付図面を参照して本発明を説明する。
図１は、フィルタエレメント１０の概略断面図で、平板状のウレタンスポンジで構成されたプレフィルタ１１と断面屈曲形状の襞折り構造を有するメインフィルタ１２とで構成されている。メインフィルタ１２は、図示していないが、オイルを含浸させた複数の不織布の積層体とその下流側に全面に亘り撥油剤がコーティングされた繊維層を一体化して構成されている。なお、矢印は空気が流れる通気方向を示している。
【０００９】
表１は、上記プレフィルタ１１の２５ｍｍ単位のセル数ｎ、肉厚ｔ（ｍｍ）および密度ｄ（Ｋｇ／ｍ３）を異にするにする実施例並びに比較例を示す。なお、表中の脈動透過率は、フィルタエレメント１０に、風量５．４ｍ３／分、脈動振幅２５ｍｍＨｇ、脈動周波数１６７Ｈｚの条件で３０分間脈動を与え、プレフィルタからのダスト透過率（％）を下記式により算出した。
脈動透過率＝［脈動後のプレフィルタからのダスト透過量／プレフィルタのダスト保持量］×１００
【００１０】
【表１】
2006204966.tif 000003
【００１１】
以上の実施例から明らかのように、セル数ｎ，肉厚ｔ，密度ｄのすべてが定められた範囲内のプレフィルタは、脈動透過率を１０％以内に抑えることができ、通気抵抗を増加させずにダストライフを向上できる実用的価値の大きいものである。他方、プレフィルタのセル数ｎ，肉厚ｔ，密度ｄのいずれか一つが定められた範囲外である比較例は、脈動透過率が１０％を超えており圧力損失が大きいものである。
【図面の簡単な説明】
【００１２】
【図１】フィルタエレメントの概略断面図。
【符号の説明】
【００１３】
１０  フィルタエレメント
１１  プレフィルタ
１２メ  インフイルタ
【図１】
2006204966.tif 000004
(57)【要約】【課題】  本発明は特に風呂場など、水を多く使うところで、人の体を洗うことや、風呂場の側壁及び浴槽などを、清掃する際に誰でも安全で、手軽に簡単に使用することが出来る、動力用ワイヤー利用の、回転式清掃用具を提供する。【解決手段】  移動式のモーターから接続して、動力用ワイヤーが、内蔵されたホウスを延長して使用するか、もしくは、室内の壁などに埋め込まれた、差込口に、直接取り付けて、使用するものであるが、風呂場内に電源や、モーターのほか、関係器具や機器類などを持ち込むことを不要とし、しかも自由に活動できるとともに、風呂場内が安全で使いやすくするため、室内等には、前述のホース及びブラシ等だけを持ち込んで利用することを、特徴とする動力用ワイヤーを利用した、回転式清掃用具。【選択図】図１
2006204954.tif 000002
【特許請求の範囲】
【請求項１】
水気の多い場所で使用する場合に、そこから一定の距離のところに、移動式のモーターを設置して、ここから動力用ワイヤーを内蔵した、ホース及びブラシ等だけを室内に持ち込んで、清掃に利用することを特徴とした、動力用ワイヤーを利用した回転式清掃用具。
【請求項２】
使用する場所の、新設、改築、増築などの際、請求項１、の清掃用具を設置する場会いは、内部から直接接続可能にするため、側壁などに差込口を設置して、内側からも取り付け出来るようにし、さらに電源や、モーターは、その清掃する内部の、外側に設置して室内には、回転用ワイヤー内臓の、ホース及びブラシなどだけを持ち込んで、清掃に利用することを特徴とした、動力用ワイヤーを利用した回転式清掃用具。
【発明の詳細な説明】
【技術分野】
【０００１】本発明は、風呂場など水気の多い所において、人の体を洗うことや、また風呂場の浴槽や、側壁などの清掃を簡単に実施することを可能にした、動力用ワイヤーを利用した清掃用具に関するものである。
【背景技術】
【０００２】従来風呂場などでは、人の体を洗うときは、タオルや手に握った、スポンジなどで洗っていた。また風呂場の浴槽や側壁などは、タワシや、モップなどで清掃していた。しかし手作業は一般にはかなりの、労力を必要とし、特に高齢者や、また手足の不自由な人にとっては大変である。このためこれまで、多くの人の利用も考えて研究もされてきたが、水気の多いところであるため、電気関係の器具を扱うことは、万一のことも考えると、非常に神経を使うことになり、これまでに思うような清掃器具の、開発がされていなかった。一部には電動式のものもありますが、重量が重くその上、関連用具を一緒に持ち込むため、使いにくく、思うように利用することが出来なかった。
【発明の開示】
【発明が解決しようとしている課題】
【０００３】  そのために次のような問題点があった。
従来の電動ブラシや、関連器具は、形も大きいのと、しかも重く手元やその周辺に、モーターや動力関連器具などがあるため非常に使いにくかった。またその他の清掃用具も、風呂場内に関連した道具や、機器を同時に持ち込んで、使用するようになっているため、大掛かりになり、そのうえ場所も多くとり、操作も難しくこのため、思うように用具を取り扱うことが出来ないので、安全上の問題も含めて、理想的な利用をすることは困難であった。
本発明は、以上の問題点を、解決しようとするものである。
【課題を解決するための手段】
【０００４】  上記の問題点を解決し、使いやすくするため、次のように改善した。
▲１▼  既設の風呂場内などで使用する際は、先ず動力用のワイヤーを、内臓したホースを、モーターや、電源から一定の距離を、おいてホースを延長して、使うようにすることにより、風呂場内が安全で、しかも手元付近ならびに、そのほか室内に、道具や機器類などがおかれていないため、自由に利用することが出来るようにした。▲２▼風呂場など、この用具を使用する場所の新設、増築、改築などにおいては、風呂場の壁などに、ホースを接続するための、さし込み口を設置して、風呂場内等から、ホースを取り付けることが出来るようにし、また電源やモーターは、風呂場などの外側に設置して安全を図るようにした。このように、前述の、▲１▼及び▲２▼とも、使用の際は、その場所に、前述のホース以外に関連器具などを、持ち込まない状態で利用することを可能にした。以上を特徴とする、動力用ワイヤーを利用した、回転式清掃用具である。
【発明の効果】
【０００５】風呂場内などからは、電源やモーターは、離れたところにあるため、風呂場などの内部には、延長用の動力用ワイヤー内臓のホースと、ブラシだけで、その他大掛かりな、器具や機械などは不要であり、また他に何も置かれていないため、使いやすく非常に安全である。しかもどこでも動きやすいため、誰でも簡単に、自由に清掃が出来る。このため従来の、清掃用具とは、比較にならないほど便利である。
【発明を実施するための最良の形態】
【０００６】以下、本発明の実施の形態について説明する。
（イ）電源コードより、モーターまたは接続用差込口に接続し、ここからホースを延長する。
（ロ）先端に必要なブラシ、またはモップを取り付ける。
（ハ）スイッチを入れて回転させる。
（ニ）モップまたはブラシを、清掃するところに当て、洗剤及び水を利用して洗う。
【図面の簡単な説明】
【０００７】
【図１】本発明の斜視図
【図２】本発明の使用形態を示す側面図
【符号の説明】
【０００８】１  電源プラグ
２  モーター
３  ホース（動力用ワイヤー内蔵）
４  ブラシ及びモップ
５  体及び側壁（洗う箇所）
６  腕
【図１】
2006204954.tif 000003
【図２】
2006204954.tif 000004
(57)【要約】      （修正有）【課題】比較的長く且つ厚い塗布具用棒を安価に製造すること。【解決手段】先端部に化粧品用の塗布具を配置し、基部端部でシールキャップ、特に化粧品を保持するための容器用のスクリューキャップに連結させるために構成されている塗布具用棒であって、本棒は、射出成形プラスチックで作られ、基本的に中空形状であることを特徴とする。【選択図】図１
2006204913.tif 000002
【特許請求の範囲】
【請求項１】
先端部に化粧品用の塗布具を配置し、基部端部でシールキャップ、特に化粧品を保持するための容器用のキャップに連結させるために構成されている塗布具用棒であって、射出成形プラスチックで作られる塗布具用棒において、
基本的に中空形状であることを特徴とする塗布具用棒。
【請求項２】
棒（１）が、少なくとも一つの連続した横断隔壁（６）を備えて成ることを特徴とする請求項１に記載の塗布具用棒。
【請求項３】
横断隔壁（６）が塗布具用の保持区域（３）の上方に塗布具のために成形されることを特徴とする請求項２に記載の塗布具用棒。
【請求項４】
塗布具用棒が、壁（９）とともに一体成型として射出成形されることを特徴とする請求項１に記載の塗布具用棒。
【請求項５】
壁（９）が、相応する容器と形状合致できるようにする内部形状を備えて成ることを特徴とする請求項４に記載の塗布具用棒。
【請求項６】
雌ねじ部（１０）が、形状合致する区域に設けられることを特徴とする請求項５に記載の塗布具用棒。
【請求項７】
塗布具用棒が、２から１０ｍｍの間の直径を備えて成ることを特徴とする請求項１に記載の塗布具用棒。
【請求項８】
塗布具用棒が、８０ｍｍまでの長さを備えて成ることを特徴とする請求項１に記載の塗布具用棒。
【請求項９】
塗布用具棒が、ポリオキシメチレン、ポリアセタール、又はポリブチレンテレフタレートからなることを特徴とする請求項１に記載の塗布具用棒。
【請求項１０】
平らなシール、円錐状シール、又は環状シールの形でシール設備を設けることを特徴とする請求項５に記載の塗布具用棒。
【発明の詳細な説明】
【技術分野】
【０００１】
本発明は、先端部に化粧品用の塗布具が配置される塗布具用棒であって、基部端部は、シールキャップ、特に化粧品を保持するための容器用のキャップと接続させるために構成された塗布具用棒に関するものであり、本棒は、射出成形プラスチックで作られる。
【背景技術】
【０００２】
【特許文献１】DE 299 12 677 U1
【特許文献２】EP 1 050 235
【０００３】
このタイプの塗布具用棒は、例えば特許文献１から公知である。
【０００４】
塗布具は、それぞれの場合に関係する化粧品に特別に適合させられる塗布特性を有するヘアブラシ、ブラシ、発泡成形（foam formed）部品又は他のプラスチック成型部品である。
【０００５】
通常、このタイプの塗布具用の棒は、中空でない射出成形プラスチックから作られる。塗布具の区域に、短い棒部分が中空の部品として成形され、液だめを作り出すために開放で設けられることが可能であることが特許文献２から既に公知である。
【０００６】
最近、容器ユニット（packaging units）が、それぞれの場合に関係する塗布具用の比較的厚いか又は長い棒を必要とする化粧品用に、又は使用するのに実用的な化粧品用に開発された。
【発明の開示】
【発明が解決しようとする課題】
【０００７】
これに基づいて、本発明の目的は、低予算で比較的長く且つ厚い塗布具用棒を製造するために用いられることができるデザインを作り出すことにある。
【課題を解決するための手段】
【０００８】
この目的は、本発明にしたがって中空形状として塗布具用棒を製造することによって達成される。このタイプの中空デザインでは、壁厚を減少させることが可能であり、プラスチックを射出する間の成形時間を、中空でない棒と比較してより速い硬化時間のために著しく減少させることができる。
【０００９】
キャップは、好ましくはキャップ全体を覆う栓（plug）である。
【発明を実施するための最良の形態】
【００１０】
本発明の更なる実施形態で、棒は、好ましくは塗布具の上方の区域に成形される少なくとも一つの横断隔壁（transverse wall）を備えて成る。この横断隔壁はシール機能を果たし、塗布具及び棒の中空部分の内部を通って、化粧品が流出し、結果として汚すことを導くキャップ区域へ流体の化粧品が移動することを防止する。
【００１１】
塗布具用棒は、好ましくは、シールキャップをねじ山なしで保持するための雌ねじを備えうる壁と、平らなシール（flat sealing）、円錐状シール（sealing cone）又は環状シール（sealing ring）のような成型されたシール形状とともに、一体成形として射出成形されるので、全体的に見て、高度に合理的な製造が保証される。
【００１２】
塗布具用棒が２から１０ｍｍの間の直径と８０ｍｍまでの長さを備えるように、塗布具用棒を特定の寸法に作ることができる。
【００１３】
本発明は、図を参照して説明される例示的な実施形態として、以下により詳細に記述される。これは、本発明にしたがう塗布具用棒を貫いた縦断面を示している。図に示される塗布具用棒１は、ブラシのような塗布具を保持するための窪み３をその先端部２に備えて成る。
【００１４】
棒１の基体（basic body）４の内側には、長手方向にはしる中空区域５を含む。
【００１５】
横断隔壁６は、塗布具用の窪み３の上方に、塗布具区域内で中空区域５を横切って広がり、こうして、流体の化粧品が入り込むことを防止する。横断隔壁６は、０．３から１０ｍｍの間の厚みを有する。
【００１６】
第一の選択として、棒１の基部端部７で、例えば、ねじ蓋（screw cap）の相応する窪みに固定される栓のような隆起（swelling）の一種として、ねじ蓋との連結を作り出すために連結機器を既に知られている方法で設けることが可能である。
【００１７】
代わりに、本発明にしたがって、ドット・ダッシュ線８でマークされた区域の内側に示されたねじ蓋９を射出することが可能であり、こうして棒１とともに一体成形としてねじ蓋は成形される。この射出成形方法の間に、雌ねじ１０を射出することも可能である。これは、特に合理的な製造プロセスを達成する。
【図面の簡単な説明】
【００１８】
【図１】塗布具用棒を貫いた縦断面図である。
【符号の説明】
【００１９】
１    棒
３    保持区域
６    横断隔壁
９    壁
１０  雌ねじ
【図１】
2006204913.tif 000003
(57)【要約】      （修正有）【課題】多軸のモータをより高効率に回転させ、省エネルギー化を実現する。【解決手段】永久磁石を着磁した回転子を２個以上歯車で連結連動するようにして、Ｎ極．Ｓ極の磁極が引き合い回転する再接近地点までを開口部とし、それ以降の部分は隔壁と鉄芯に巻いたコイル等で閉塞し、コイルに通電することにより回転子の異磁極が引き合う力とコイルによる磁力による回転と、隔壁を隔てた固定界磁のコイルが２分してあるので、片方のコイルに通電したとき、もう一方のコイルにも電流が流れ、それらが回転方向への力を複合し回転する。【選択図】図１ａ
2006204078.tif 000002
【特許請求の範囲】
【請求項１】
永久磁石を着磁した複数の回転子を歯車で連動するよう組み合わせ、Ｎ極、Ｓ極の異磁極が引き合う力を利用した構成の部分と、同磁極が反発し合う構成を複合したモータ。
【発明の詳細な説明】
【発明の詳細な説明】
【産業上の利用分野】
多軸の永久磁石を着磁した回転子を歯車連結して回転させる構成のモータが考案されていますが、固定界磁コイルを増やす事なく、異磁極が引き合う部分と同磁極が反発する位置に永久磁石回転子を組み合わせる事で、引き合う力と反発し合う力を複合して、より高効率な回転力を得ることができるので、あらゆる分野において利用可能と考えます。
【背景技術】  モータの構造において２個以上の永久磁石を着磁した回転子を歯車連結して回転させるので、構造が複雑で製造コストと供給される出力との比較をすると１本の回転子の方に部がありました。より高出力になれば利用の道が開けるものと思います。
【発明が解決しようとする課題及び手段】
永久磁石を着磁した複数の回転子を歯車で連動するよう組み合わせると、Ｎ極、Ｓ極の異磁極が最接近する地点で引き合う力が最も大きくなり止まってしまいます。そこで、回転子の磁極が最接近する中心点より後半部に隔壁や鉄芯にコイルを巻いたものを固定し、コイルに電流を供給し発生した誘引磁力と、前半部分で異磁極が引き合う力と、同磁極が反発する永久磁石回転子の複合の力で回転を続けます。回転子間のギャップや開口部分をより狭くすればより効率が上がりますが、軸対称性の破れで軸受にかかる力への工夫等が必要であります。
【作用】
永久磁石を着磁した回転子を２個以上歯車で連結連動するようにした場合、Ｎ極・Ｓ極の磁極が引き合い回転する最接近地点までを開口部とし、それ以後の部分は隔壁と鉄芯に巻いたコイル等で閉塞し、コイルに通電することにより回転子の異磁極が引き合う力とコイルによる磁力による回転と、隔壁を隔てて固定界磁のコイルを２分してあるので、片方のコイルに通電したとき、もう一方のコイルにも電流が流れ、それらが回転方向への力を複合し回転します。連結した回転子の所定の位置に同磁極が反発し合うように永久磁石を着磁した回転子を組み合わす事で、より高効率な回転力が得られ、消費エネルギーは少なくて回転させられます。
【実施例】  本発明の第１項の一例として、永久磁石を着磁した回転子を４個歯車で連結連動回転する直流モータの説明をします。図１ａは概略横断面図で（歯車は回転子と離れた位置になっています）４個の回転子（６）（７）（８）（９）の回転軸の延長上の所定の位置には、それぞれ歯車が固着してあり、噛み合わせ、４個の回転子が同時に連動回転するように各回転子軸を、軸受および前部分ブラケットと後部分ブラケットにより回転自在に支持してあります。回転子（６）と（７）の外周先端部が最も接近する中間部より回転方向後半部に、隔壁（１０）および固定界磁のコイルは隔壁を隔てて同巻数のコイルを分離し片側に通電したときに、もう一方のコイルには電圧を掛けない組合せで誘導電流を利用する。等を（１）のヨークおよび前部ブラケットと後部ブラケットに固着してあり、また、回転子（７）と（８）の外周先端部の最も接近する中間部より回転方向後半部にも、同様の隔壁（１０）およびコイル等を（１）のヨークや前・後部ブラケットに固着した構造であります。回転子（９）は、回転子（８）に近接した固着界磁コイルの回転方向後半部分と開空部の境界部分を中心線とした位置を挟んで、同じ磁極が反発し合い同時回転するように組合せる。（１３）は磁気検出素子でトランジスター等を経て（１６−Ａ）（１７−Ｂ）の固着界磁コイルにつながっています。
図１ｂは斜め方向から見た一部断面図。図１ｃは概略配線図で、図１ａの位置に永久磁石を着磁した回転子がある場合、電源供給端子に所定の（＋）（−）直流電圧を印加した時、磁気検出素子（１３）は回転子（８）のＳ極を検出し、トランジスター（Ｔ−１）のベースに正の電圧を与え、（Ｔ−１）のトランジスターが導電して、界磁コイル（１６−Ａ）と（１７−Ｂ）に通電し、回転子（６）、（７）、（８）（９）は、隣接する回転子がそれぞれ反対方向に回転します。すぐに磁気検出素子（１３）は、回転子（８）のＮ極を検出しトランジスター（Ｔ−２）のベースに正の電圧を与え（Ｔ−２）が導電して界磁コイル（１６−Ｂ）と（１７−Ａ）に通電し回転を続け、続いて（１３）磁気検出素子が回転子（８）のＳ極を検出し、トランジスター（Ｔ−１）のベースに正の電圧を与え順次繰り返し回転を続け、回転子間の永久磁石の磁極が互いに引き合う力も、反発し合う力も回転方向に働きます。
本説明では、永久磁石を着磁した回転子を４個連結した図面で説明しましたが、回転子のＮ極・Ｓ極の極数が合う回転子を連結することにより本説明と同様に回転します。スペースに余裕さえあれば、あらゆるものに使用可能です。また、エネルギーの消費も少なくて大きな力が得られるので電気自動車など交通機関の動力に有望と考えます。
【図面の簡単な説明】
【図１】
【図１ａ】は、永久磁石回転子４個を並列させたモータの実施態様の縦断面図。
【図１ｂ】は、斜め上方面から見た一部断面図。
【図１ｃ】は、実施態様概要電気配線図。
【符号の説明】
１              ヨーク
４              回転子軸
６、７、８、９  永久磁石回転子
１０            半隔壁
１２            歯車
１３            磁気検出素子
１６−Ａ，１６−Ｂ、１７−Ａ，１７−Ｂ  界磁コイル
Ｔ−１、Ｔ−２  トランジスター
【図１ａ】
2006204078.tif 000003
【図１ｂ】
2006204078.tif 000004
【図１ｃ】
2006204078.tif 000005
(57)【要約】      （修正有）【課題】従来の電気自動車は、回転子と固定子の間に空気が介在しているモーターを搭載していたので、振動によるエネルギーロスが大きかった。これを解決する。【解決手段】モーターの中に液体を充填することによって振動を抑制し、駆動力を高効率に改良する。【選択図】  図１
2006204075.tif 000002
【特許請求の範囲】
【請求項１】
電気自動車に搭載するモーターに液体を充填した液充モーターを適用してトルクを増大させる。
【請求項２】
上記（請求項１）に於いて、液充モーターで増大したトルクに応じてモーターを従来のトルクを低減せずに小型化する。それによって、電気自動車の走行距離を延長するか消費電力を軽減する。
【請求項３】
上記（請求項１）に於いて、液充モーターに動力を与える二次電池の電力が低減した場合、二次電池の搭載個数が少ないので常時予備を保有していて予備電池に切替え使用済みの予備電池だけを取替場所で取替えて補充するので継続して走行することが可能とするシステム。
【発明の詳細な説明】
【背景技術】
【０００１】従来の電気自動車は、駆動装置のモーターが構造上主に回転子と固定子を組合わせて磁力を発生させて電気エネルギーを機械エネルギーに変換する為の内部の空間は空気であった。この為、装置内の部品が振動による熱が発生する為エネルギーロスが大きくバッテリーの容量も小さいので駆動力が小いさかった。【０００２】従来の電気自動車に適用されているモーターは、回転子と固定子の間に空気が充填されていて磁力で回転している回転子が回転しても空気が回転力を増大させる貢献度が低かった。
【当該技術】
【０００３】当該電気自動車は、従来のモーターの中に液体を充填することによってモーター内の部品の振動を液体によって抑止する構造である。従って、振動による熱が発生しにくいのでエネルギーロスが少なく、その分トルクが増大して電気自動車の駆動力が増大する。
【０００４】上記００００３の項目において、液充モーターに発生した熱が気体より液体の方が伝達し易く、ケーシングを伝って放熱されるので電気自動車の駆動効率が高い。
【０００５】当該電気自動車に適用される液充モーターの場合、磁力で回転する回転子の周囲を取囲む液体も回転するので気体に較べて慣性力が大きくトルクが大きいので電気自動車の駆動力が従来の電気自動車に較べて遥かに大きくなる。
【図面の簡単な説明】
【図１】液充モーターを搭載した電気自動車の断面図の一例
【符号の説明】
１．液体  ２．シャフト  ３．回転子  ４．固定子  ５．二次電池  ６．予備電池  ７．液充モーター  ８．車体  ９．タイヤ  １０  羽
【図１】
2006204075.tif 000003
(57)【要約】【課題】  野外や移動用の電源装置に小容量の蓄電池で長時間稼動する電力増大機能を与える。【解決手段】  電力増大機能を持つ回路と動作原理により増大電力を長時間発生する。回路の一部をプラズマで構成し、急峻な立ち上がり波形のパルス電流で作動することにより電力増大効果で小容量の蓄電池で長時間稼動することができる。【選択図】  図１
2006204077.tif 000002
【特許請求の範囲】
【請求項１】
電気回路の一部をプラズマで構成し、急峻な立ち上がり波形のパルス、又は高周波電流で作動する電源装置。
【請求項２】
高電圧の間欠火花放電により空気の気体プラズマと、パルス波電流を発生する電源装置。
【請求項３】
鉛蓄電池の電解液を液体プラズマとして回路の一部に用いる電源装置。
【請求項４】
２次電池の電解液を液体プラズマとして回路の一部に用いる電源装置。
【発明の詳細な説明】
【技術分野】
【０００１】  本発明は、商用電源の無い場所で電力を供給するもので、野外や移動用電源に適する。
【背景技術】
【０００２】  従来、野外や移動用電源として蓄電池とインバーター又は自動車の蓄電池とインバーターにより行われている。従って稼動時間は電池容量により制約され、又自動車はエンジン回転を続行する必要がある。
【発明の開示】
【発明が解決しようとする課題】
【０００３】  蓄電池で長時間稼動する場合は電池の容量を大きくする必要があり、移動用の場合、重量増加が障害になる。本発明は蓄電池の容量を増加する事なく稼動時間を長くしようとするものである。
【課題を解決するための手段】
【０００４】  蓄電池の容量を増加する事なく稼動時間を増加するためには、回路が電力増大機能を有する事が必要である。【０００５】  それは回路構成要素のプラズマと、急峻な立ち上がり波形電流の相互作用により可能になる。これは未知の原理により、空間の自然エネルギーが流入して電力が増大すると考えられる。【０００６】  高電圧の火花放電により空気の気体プラズマが発生し、間欠放電は急峻な立ち上がりのパルス波電流になる。これをトランスで降圧し鉛蓄電池電解液の液体プラズマに通じる。
【発明の効果】
【０００７】  以上のように電力増大機能を持つ回路に急峻な立ち上がり波形のパルス電流を通じる事により電力増大効果が得られる。従って小容量の蓄電池で長時間の稼動が可能になり野外や移動用電源として最適である。
【発明を実施するための最良の形態】
【０００８】  鉛蓄電池１１により充電した大容量の電解コンデンサー２を入力電源としてインバーター３でＡＣ１００Ｖに変換し、トランス５で数千ボルトに昇圧、ダイオード６で整流してコンデンサー７を充電する。【０００９】  火花放電間隙８で間欠放電を行い降圧トランス９一次コイルに急峻なパルス波形の電流を通じる。降圧トランス９の低圧側２次コイルはダイオード１０を介して鉛蓄電池１１に接続する。鉛蓄電池１１の充電電流はチョークコイル１２を通じて電解コンデンサー１３を充電しインバータ１４によりＡＣ１００Ｖに変換し負荷１５に供給する。【００１０】  鉛蓄電池１１の充電電力はチョークコイル１を介して大容量の電解コンデンサー２を充電し入力電源として働く。高電圧の火花放電によるプラズマと、鉛蓄電池電解液の液体プラズマでパルス波電流に対する電力増大効果で長時間稼動する事ができる。
【産業上の利用可能性】
【００１１】  本発明の電源装置は商用電源の利用できない場所や移動用の電源として利用価値が高い。例えば離島や車輌、船舶に利用できる。
【図面の簡単な説明】
【図１】本発明の電源装置の配線図である。
【符号の説明】
１．  チョークコイル          １００ｍＨ、５Ａ
２．  電解コンデンサー        ４７０００μＦ、８０Ｖ
３．  インバーター            ＤＣ２４Ｖ→ＡＣ１００Ｖ、５０Ｗ
４．  スライダック            ２００ＶＡ
５．  昇圧トランス            ネオントランス、１２０００Ｖ  １１５ＶＡ
６．  ダイオードブリッジ      ８０００Ｖ  ０．３Ａ
７．  コンデンサー            ３０ＫＶ  ０．０５μＦ〜０．２μ
８．  火花放電間隙            可変
９．  降圧トランス            １次５０００Ｖ  ０．３５Ａ  ２次５０Ｖ  １００Ｖ  ２００Ｖ  ３００Ｖ
１０．ダイオード              ３００Ｖ  ６０Ａ
１１．鉛蓄電池                自動車用２４Ｖ（１２Ｖ×２）
１２．チョークコイル          ３０ｍＨ  ５Ａ
１３．電解コンデンサー        ４７０００μＦ  ８０Ｖ
１４．インバーター            ＤＣ２４Ｖ→ＡＣ１００Ｗ
１５．負荷                    電球など
【図１】
2006204077.tif 000003
(57)【要約】      （修正有）【課題】コンピューターやモーターや発電機等の従来の冷却方法では不十分であり、内部発熱の影響を受けない冷却方法を提供する。【解決手段】オイルを装置内に充填してポンプを用いてハウジング内外を循環流動させて熱を拡散して冷却する方法で装置の性能を維持する構造を有するポンプ利用オイルモーター及びオイル発電機。【選択図】図１
2006204086.tif 000002
【特許請求の範囲】
【請求項１】
モーター及び発電機の発熱を抑える為に、モーター又は発電機内部にオイルを充填し、モーター又は発電機と同軸のポンプを駆動させてモーター又は発電機のハウジング内外にオイルを循環流動させて発生する熱を拡散させて機能の効率を維持する方法。
【請求項２】
上記請求項１に於いて、モーターや発電機をコンピューターに使用した場合、その発生する熱によってハウジング内の配線がメルトダウンするのを上記（請求項１）の構造を適用することによってハウジング内の冷却性能を向上させて防ぐ方法。
【請求項３】
上記請求項１及び２に於いて、従来型の冷却機としてのファンをポンプに変えて冷却性能を高めることによってモーター又は発電機の効率を維持しコンピューターの機能を向上させる方法。
【発明の詳細な説明】
【技術分野】
【０００１】コンピューター、モーター、発電機等発熱体を内蔵するか熱による機能上及び性能上影響を大きく受ける電気機器の分野。
【技術背景】
【０００２】コンピューターやモーターや発電機等ハウジング内部に発熱体を内蔵する電気機器及び電子機器が機能上大きな影響を受けている。
【発明の開示】
【０００３】オイルを装置内に充填させてポンプでハウジングの内外を循環流動させて熱を拡散させて配線のメルトダウン防止や機能及び性能を維持する。
【図面の簡単な説明】
【０００４】
【図１】当該ポンプ利用オイルモーター冷却構造の断面図の一例。
【符号の説明】
【０００５】１．ベーン  ２．オイル  ３．回転子  ４．固定子  ５．ポンプ  ６．ホース  ７．回転軸  ８．モーター  ９．ハウジング  １０．流出口  １１．注入口
【図１】
2006204086.tif 000003
【手続補正書】
【提出日】平成17年11月4日(2005.11.4)
【手続補正１】
【補正対象書類名】特許請求の範囲
【補正対象項目名】全文
【補正方法】変更
【補正の内容】
【特許請求の範囲】
【請求項１】
モーター及び発電機の発熱を抑える為に、モーター又は発電機等の内部の流体を同軸の回転機で稼働するポンプ又はファンによって発生した熱と共にハウジング外に移動させてモーター又は発電機のハウジング内の熱を拡散させて冷却し機能の効率を維持する構造。
【請求項２】
上記請求項１に於いて、モーターや発電機をコンピューターに使用した場合、その発生する熱によってハウジング内の配線がメルトダウンするのを上記（請求項１）の構造を適用することによってハウジング内の冷却性能を向上させて防ぐ方法。
【請求項３】
上記請求項１及び２に於いて、従来型の冷却機としてのファン又はポンプをハウジング内に設置して流体と共に熱を室外に直接移動させて拡散させ、冷却性能を高めることによってモーター又は発電機の効率を維持しコンピューターの機能を向上させる方法。
【手続補正３】
【補正対象書類名】明細書
【補正対象項目名】０００３
【補正方法】変更
【補正の内容】
【０００３】モーターや発電機のハウジングの内部の流体を内部に設置したポンプやファンを駆動させて直接配管やホースを通して室外に移動させて熱を拡散冷却して熱による効率や性能を減少させない冷却方式のモーター及び発電機でコンピューターのメルトダウンを防止する。
(57)【要約】      （修正有）【課題】連結材による螺旋支持具の連結状態を確実に維持する。【解決手段】連結材２を介して互いに連結した一対の螺旋状支持具１，１の前記連結材２側の端部を、仲介片４の両端に挟持片５を設けて構成した補強材３の前記挟持片５を塑性変形させて挟持させる。【選択図】図１
2006204011.tif 000002
【特許請求の範囲】
【請求項１】
連結材を介して互いに連結した一対の螺旋状支持具の前記連結材側の端部を、仲介片の両端に挟持片を設けて構成した補強材の前記挟持片を塑性変形させて挟持させた、螺旋状支持具の連結部補強装置。
【発明の詳細な説明】
【技術分野】
【０００１】
本発明は、電柱間にケーブルを架線する際、該ケーブルを支持線に支持させるために用いる螺旋状支持具の連結部補強装置に関するものである。
【背景技術】
【０００２】
ケーブルを電柱間に架線するために前記電柱間にわたした支持線に沿わせて連結材で連結した特定長さの螺旋状支持具を配し、これに前記ケーブルを支持させるようにしている（例えば、特許文献１、２）。
【０００３】
【特許文献１】特開平９−０７０１１７号公報
【特許文献２】特開平１１−１７８１８２号公報
【発明の開示】
【発明が解決しようとする課題】
【０００４】
螺旋状支持具は、前記の通り、連結材で連結して用いるのであるが、該連結材は台風等の外的な要因により外れることがあり、外れた当該連結材を再利用すると、当初より連結強度が低下する場合がある。
【０００５】
本発明は、斯様な連結強度の低下した連結材による螺旋状支持具の連結部を補強し、連結状態を確実に維持する装置を提供すべく創案したものである。
【課題を解決するための手段】
【０００６】
連結材を介して互いに連結した一対の螺旋状支持具の前記連結材側の端部を、仲介片の両端に挟持片を設けて構成した補強材の前記挟持片を塑性変形させて挟持させた構成としたものである。
【発明の効果】
【０００７】
本発明によれば、螺旋状支持具に外力が負荷しても、該支持具端部を塑性変形した挟持片が挟持しているので螺旋状支持具同士が容易に分離することがなく、連結材による連結状態（螺旋状支持具の端末が露出していない状態）を確実に保つことができる。
【実施例】
【０００８】
図面は本発明に係る螺旋状支持具の連結部補強装置の一実施例を示し、図１は平面図、図２は図１の拡大側面図、図３は連結材の正面図、図４は連結材の平面図である。
【０００９】
図中、１は連結材２を介して互いに連結した螺旋状支持具で、螺旋状支持具１は前記公知文献において示す通り、連結材で連結した状態で支持線に支持され、かつ、電柱間に架線するケーブルを支持するものである。
【００１０】
また、連結材２は、連結した一方の螺旋状支持具１の端部に固着した雄材２Ａと、他方の螺旋状支持具１の端部に固着して前記雄材２Ａに嵌脱可能に嵌挿して組付けた雌材２Ｂで成る、螺旋状支持具１と同様公知構造のものであるが、その構造は、螺旋状支持具１，１同士を、該支持具の端末を露出させないで連結する構造のものであれば良い（なお、この意味で、後記する補強材は連結材と異なる）。
【００１１】
図中、３は補強材である。補強材３は金属板を屈曲形成した断面Ｕ字状の溝形体で成り、前記螺旋状支持具１，１を端部において連結した前記連結材２を嵌合するに足る長さと径幅および深さのある溝形体で成る、中央の仲介片４の長手方向の両側に螺旋状支持具１を嵌合するに足る径幅のある断面Ｕ字状の挟持片５を一体に連設して構成したもので、互いに相対して前記仲介片４を構成する一対の部片４ａ，４ａと互いに相対して前記挟持片５を構成する一対の部片５ａ，５ａのそれぞれの間には切欠６を設け、仲介片４側の部片４ａより突出する挟持片５側の部片５ａの該切欠６より上方側を仲介片４（部片４ａ）より独立して折曲し易くしたものである。
【００１２】
実施例は、この補強材３の仲介片４内に螺旋状支持具１，１を連結した連結材２を収容した状態で、挟持片５の部片５ａ，５ａを互いに折曲させ、挟持片５の部片５ａ，５ａによって前記連結材２側の各螺旋状支持具１の端部側を挟持させて構成したものである。
【００１３】
なお、実施例の補強材３（鋼板などの塑性金属板で構成してある）を構成する仲介片４は、前記の通り、螺旋状支持具１，１を連結した連結材２を収容できる溝形体で構成してあるが、挟持片５，５を互いに一体にする構造のものであれば良いのであって、例えば、帯状片で構成するように溝形体（断面Ｕ字形体）で構成する必要はない。
【図面の簡単な説明】
【００１４】
【図１】平面図。
【図２】図１の拡大側面図。
【図３】連結材の正面図。
【図４】連結材の平面図。
【符号の説明】
【００１５】
１      螺旋状支持具
２      連結材
３      補強材
４      仲介片
５      挟持片
【図１】
2006204011.tif 000003
【図２】
2006204011.tif 000004
【図３】
2006204011.tif 000005
【図４】
2006204011.tif 000006
(57)【要約】【課題】冬季に、暖房の効いた屋内で防寒下半身肌着を着用していても股間が蒸れることを軽減する蒸れ防止防寒下半身肌着を提供する。【解決手段】局部覆い部分（１０）やその周囲にメッシュ地のような通気性の良い素材を、上方端はウエスト帯（２）に縫合し、左右側端は、前方左右縫い目（４）（５）で縫合し、下方端は、股部ライン（１３）付近に縫合し、これを通気部（３）とする。女性用は、必要ないが、男性用は、この通気部（３）にメッシュ地を使用した陰茎取り出し口（６）を縫合構成する。【選択図】    図１
2006219800.tif 000002
【特許請求の範囲】
【請求項１】
図１の、前後のウエスト帯（２）をそろえ、この部分だけを摘んで持ち上げた場合、下方に現れる股の局部付近のラインを股間ライン（１３）とすれば、この股間ライン（１３）の上方を局部覆い部分（１０）とし、局部覆い部分（１０）にメッシュ地のような通気性の良い素材を用いたことを特徴とする、タイツ類も含む蒸れ防止防寒下半身肌着。
【請求項２】
前記股間ライン（１３）まで通気部（３）を構成させた請求項１記載の、蒸れ防止防寒下半身肌着。
【請求項３】
後方のウエスト帯（２）から股間ライン（１０）の位置する下方までの全域を尻覆い部分（１４）として、前記股間ライン（１３）を通り越し尻覆い部分（１４）に入り込むように通気部（３）を延長構成したことを特徴とする、請求項１，２記載の蒸れ防止防寒下半身肌着。
【発明の詳細な説明】
【発明の詳細な説明】
【技術分野】
【０００１】本発明は、股間局部の蒸れを防止する蒸れ防止防寒用下半身肌着に関するものである。
【背景技術】
【０００２】従来、男性用パンツなどに股間の通気性を良くするための発明考案があり、それらは、主に夏の暑さなどから局部の蒸れを防ぐ考案であり、冬用の防寒用肌着の発明ではなかった。防寒下半身肌着は、股間局部を覆う部分も保温性布でできていた。
【発明の開示】
【発明が解決しようとする課題】
【０００３】暖房の効いた部屋で、全体が保温性の布地でできた防寒下半身肌着を着けていると、股間が蒸れることがある。
特に、椅子などに腰掛けると蒸れがひどくなることがあるが、これを防ぐために、冬季に屋外、屋内双方で快適に着用できて、防寒と股間の蒸れ防止を両立できる防寒下半身肌着を提供する。
【課題を解決するための手段】
【０００４】図１の、前後のウエスト帯（２）をそろえ、この部分だけを摘んで持ち上げた場合、股に現れる局部付近のラインを股間ライン（１３）とし、この股間ライン（１３）上方に位置するゾーンを局部覆い部分（１０）とする。
この局部覆い部分（１０）に保温性の良い布地を用いず、メッシュ地のような通気性の良い素材を用いる。
陰茎取り出し口（６）を構成する生地も、同様に通気性の良い素材を使用する。
請求項２の発明は、蒸れの防止範囲を下方に拡大するために請求項１記載の通気部（３）を請求項１記載の股間ライン（１３）まで延長させたものである。
請求項３の発明は、図２、図３に示したように、請求項２記載の通気部（３）の範囲を前記股間ライン（１３）より後方の尻覆い部分（１４）に入り込む所まで拡大させたものであり、拡大範囲と、後方通気部縫い目（９）の形状は限定しない。
本発明で述べる下半身防寒肌着とは、タイツ類を含むものとする。
【発明の効果】
【０００５】従来、男性用パンツの股間部分を通気性向上のためにメッシュにする発明があった。
これは、パンツ本来の局部を隠す機能を損なう可能性があり、それを防ぐために、陰茎取り出し口に係わる二重の布地の片方をメッシュにするなど、あまり通気性が向上しない発明があったが、それらは主に高温季の蒸れ防止パンツと考えられる。
それに比べて、本発明は、冬用のタイツ類を含む防寒用下半身肌着に関するものである。
本来、股間は、あまり寒さを感じない部位と考えられ、尻や大腿部、脹脛に比べて発汗しやすいと考えられる。
そのため通常の防寒ズボン下を着用して暖房が効いた所に居ると股間が蒸れることがある。
本発明は、防寒下半身肌着の股間に保温布を使用せず、メッシュ地のような通気性の良い素材を使用するため屋外での防寒と、屋内での股間の蒸れ防止を両立させる。
更に、着座の姿勢では、局部の付近の布が椅子に接触するために、蒸れの度合いが高くなるが、請求項２，３の発明は、着座で局部の下に面する部分まで通気部（３）を拡大させ、着座での蒸れ防止が向上できる。
【発明を実施するための最良の形態】
【第一実施例】
【０００６】図１の、前後のウエスト帯（２）をそろえ、この部分だけを摘んで持ち上げた場合、下方に現れる股の局部付近のラインを股間ライン（１３）とすれば、この股間ライン（１３）の上方を局部覆い部分（１０）とする。
局部覆い部分（１０）に保温性布を用いず、図１に示したように前方左右縫い目（４）（５）によってメッシュ地を縫合することにより、局部覆い部分（１０）を通気部（３）にする。
通気部（３）にメッシュ地を使用した陰茎取り出し口（６）を構成する。
女性用の場合は陰茎取り出し口（６）の構成はいらない。
【第二実施例】
【０００７】更に通気性を良くするために、前方左右縫い目（４）（５）を前記股間ライン（１３）まで延長し、通気部（１０）を股間ライン（１３）まで広げる。
【第三実施例】
【０００８】  更に、着座の場合の蒸れを防止するために、図２，３に示したように、股間ライン（１３）より尻側に延長させて尻通気部縫い目（９）によりメッシュ地を縫合し、通気部（３）を拡大構成する。
前記、尻通気部縫い目（９）の形状と、尻側に延長する度合いは特に限定しなくても良いが、広げすぎると屋外での尻の保温作用が低下する。
【図面の簡単な説明】
【０００９】
【図１】本発明の一実施例を示した図で、足挿入部を切り欠き省略した正面図。
【図２】本発明の一実施例を後ろから見た図で、足挿入部を切り欠き省略した図。
【図３】本発明の一実施例を後ろから見た図で、足挿入部を切り欠き省略した図。
【符号の説明】
【００１０】１    防寒下半身肌着
２    ウエスト帯
３    通気部
４    前方左縫い目
５    前方右縫い目
６    陰茎取り出し口
７    陰茎取り出し口縫い目
８    尻部中央縫い目
９    尻通気部縫い目
１０  局部覆い部分
１１  保温布
１２  足挿入部
１３  股間ライン
１４  尻覆い部
【図１】
2006219800.tif 000003
【図２】
2006219800.tif 000004
【図３】
2006219800.tif 000005